(57)【要約】【課題】測定光束を多数の拘束に分割して眼鏡レンズの多数の点の屈折力を測定するパターン板を測定光学系に設けた場合でも、正面及び側方から入射する外光が眼鏡レンズの屈折測定に影響を及ぼすことのないレンズメータを提供すること。【解決手段】光学系収納突部（上部筐体部２，下部筐体部３）の少なくとも一方に眼鏡レンズ配設空間１０５の周囲の部分に対して進退動可能に遮光カバー１４２が保持されていると共に、前記遮光カバー１４２が眼鏡レンズ配設空間１０５の周囲の部分に駆動手段（パルスモータ１３０）で進出させられたときに、前記遮光カバー１４２が付勢手段（自重）により前記光学系収納突部（上部筐体部２，下部筐体部３）の少なくとも一方から他方の前記光学系収納突部側に向けて付勢されている。【選択図】  図１５
2005214700.tif 000002
【特許請求の範囲】
【請求項１】
装置本体の前面の上部に測定光束投影光学系が内蔵された第１の光学系収納突部が設けられ、前記装置本体の前面の下部に前記測定光束投影光学系から投影される測定光束を受光するための受光光学系が内蔵された第２の光学系収納突部が設けられ、前記第１，第２の光学系収納突部間に前後左右に開放する眼鏡レンズ配設空間が設けられていると共に、前記測定光束投影光学系から投影され且つ前記眼鏡レンズを透過して前記受光光学系で導かれる測定光束を受光する受光素子が設けられ、前記受光素子からの測定信号から前記眼鏡レンズの屈折特性を演算制御回路で求めるようにしたレンズメータにおいて、
前記光学系収納突部の少なくとも一方に眼鏡レンズ配設空間の周囲の部分に対して進退動可能に遮光カバーが保持されていると共に、前記遮光カバーが眼鏡レンズ配設空間の周囲の部分に駆動手段で進出させられたときに、前記遮光カバーが付勢手段により前記光学系収納突部の少なくとも一方から他方の前記光学系収納突部側に向けて付勢されていることを特徴とするレンズメータ。
【請求項２】
前記遮光カバーは前記第１の光学系収納突部内から前記第２の光学系収納突部側に自重で付勢されて進出可能に前記第１の光学系収納突部内に取り付けられ、前記遮光カバーは駆動モータで昇降させられる昇降部材上に当接支持されて前記昇降部材と一体に上下動可能に設けられていることを特徴とするレンズメータ。
【発明の詳細な説明】
【技術分野】
【０００１】
この発明は、測定光路途中に配設される眼鏡レンズの周囲を測定開始前に覆う遮光カバーが設けられたレンズメータに関するものである。
【背景技術】
【０００２】
従来のレンズメータとしては、本体ケースの前面の上部及び下部に上下に間隔を置いて突設された上収納突部及び下収納突部と、この下収納突部の上面に設けられた一つのレンズ受と、左右に延び且つレンズ受に対して前後に移動操作可能に本体ケースに装着されたレンズテーブルと、レンズテーブルに左右動可能且つ上下動可能に装着された鼻当支持部材と、レンズ受に載置されるレンズの屈折特性を測定する測定光学系を有するものが知られている。このレンズメータにおいて測定光学系は、本体ケース及び上収納突部内に設けられた照明光学系と、下収納突部及び本体ケース内に設けられた受光光学系を備えている。
【０００３】
そして、このレンズメータにおいては、メガネの鼻当を鼻当支持部材に支持させると共にメガネフレームの左右のレンズ枠をレンズテーブルの前面に当接させて、鼻当支持部材を左右及び上下に移動操作すると共にレンズテーブルを前後に移動操作して、左右の眼鏡レンズの一方をレンズ受に当接させ、測定光学系により一方の眼鏡レンズの屈折特性を測定するようにしている。
【０００４】
また、他方の眼鏡レンズを測定する場合には、他方の眼鏡レンズをレンズ受に当接するようにメガネフレームを上述と同様に移動操作していた。
【０００５】
しかしながら、従来のレンズメータでは、左右の眼鏡レンズを測定する場合、一つのレンズ受に対して眼鏡レンズを入れ替えて当接支持させる必要があり、面倒であった。
【０００６】
これを解消するレンズメータとしては、メガネの左右の眼鏡レンズを測定する光学系を一対設けたものが知られている（例えば特許文献１〜５参照）。
【特許文献１】特開２００２−２０２２１９号公報
【特許文献２】特開２００２−２５７６８０号公報
【特許文献３】特開２００２−２５７６８１号公報
【特許文献４】特開２００２−２９６５４９号公報
【特許文献５】特開２００３−１９４６７０号公報
【発明の開示】
【発明が解決しようとする課題】
【０００７】
しかしながら、従来のレンズメータは、眼鏡レンズの配設のために何れも正面及び側方が開放しているため、測定光束を多数の拘束に分割して眼鏡レンズの多数の点の屈折力を測定するパターン板を測定光学系に設けた場合、正面及び側方から入射する外光が眼鏡レンズの屈折測定に影響を及ぼすものであった。
【０００８】
そこで、この発明は、測定光束を多数の拘束に分割して眼鏡レンズの多数の点の屈折力を測定するパターン板を測定光学系に設けた場合でも、正面及び側方から入射する外光が眼鏡レンズの屈折測定に影響を及ぼすことのないレンズメータを提供することを目的とするものである。
【課題を解決するための手段】
【０００９】
この目的を達成するため、請求項１の発明のレンズメータは、装置本体の前面の上部に測定光束投影光学系が内蔵された第１の光学系収納突部が設けられ、前記装置本体の前面の下部に前記測定光束投影光学系から投影される測定光束を受光するための受光光学系が内蔵された第２の光学系収納突部が設けられ、前記第１，第２の光学系収納突部間に前後左右に開放する眼鏡レンズ配設空間が設けられていると共に、前記測定光束投影光学系から投影され且つ前記眼鏡レンズを透過して前記受光光学系で導かれる測定光束を受光する受光素子が設けられ、前記受光素子からの測定信号から前記眼鏡レンズの屈折特性を演算制御回路で求めるようにしている。しかも、このレンズメータでは、前記光学系収納突部の少なくとも一方に眼鏡レンズ配設空間の周囲の部分に対して進退動可能に遮光カバーが保持されていると共に、前記遮光カバーが眼鏡レンズ配設空間の周囲の部分に駆動手段で進出させられたときに、前記遮光カバーが付勢手段により前記光学系収納突部の少なくとも一方から他方の前記光学系収納突部側に向けて付勢されている。
【発明の効果】
【００１０】
この構成によれば、測定光束を多数の拘束に分割して眼鏡レンズの多数の点の屈折力を測定するパターン板を測定光学系に設けた場合でも、正面及び側方から入射する外光が眼鏡レンズの屈折測定に影響を及ぼすことを防止できる。
【００１１】
しかも、遮光カバーと他方の前記光学系収納突部との間に手や指を挟んだとしても、遮光カバーの付勢力を小さくしておけば、手や指等が怪我をするのを未然に防止できる。
【発明を実施するための最良の形態】
【００１２】
以下、この発明の実施の形態１を図面に基づいて説明する。
[構成]
＜装置本体＞
図１は本発明に係わるレンズメータの正面図、図２は図１のレンズメータの右側面図である。
【００１３】
この図１，図２において、１は装置本体（本体ケース）である。この装置本体１は、上部筐体部（第１の光学系収納突部）２と下部筐体部（第２の光学系収納突部）３及びこれらを連設している連設筐体部４から側面形状が図２に示したように略コ字状に形成されている。この上部筐体部２と下部筐体部３との間は、図５に示したメガネ（眼鏡）５のセット空間６とされている。尚、連設筐体部４は、後部側の筐体部４ｂが前壁４ａ側から着脱可能となっている。
【００１４】
尚、メガネ５は、本実施例では、メガネフレームＭＦ、メガネフレームＭＦの左右のレンズ枠ＬＦ，ＲＦに枠入れされた眼鏡レンズＬＬ，ＲＬと、左右のレンズ枠ＬＦ，ＲＦを連設しているブリッジＢと、左右のレンズ枠ＬＦ，ＲＦ等に設けられる鼻当ＮＰと、左右のレンズ枠ＬＦ，ＲＦに設けられたテンプルＬＴ，ＲＴを有する。
【００１５】
また、下部筐体部３は上壁７を有し、この上壁７の左右の部分には開口８Ｌ，８Ｒが図１に示したように形成されている。この下部筐体３内は、左右の中央に配設された仕切壁３ａにより、左右の空間（室）３Ｌ，３Ｒに区画されている。しかも、装置本体１は、左右一対の測定光学系９Ｌ，９Ｒを有する。
【００１６】
上部筐体部２の前面（正面）には、液晶表示器１００が表示装置（表示手段）として設けられていると共に、測定開始スイッチ１０１，モード切替スイッチ１０２，データ入力用のスイッチ１０３、プリントスイッチ１０４等が設けられている。
【００１７】
更に、上部筐体２と下部筐体３との間には前側及び左右に開放するメガネ配設空間１０５が形成されている。
＜測定光学系９Ｌ，９Ｒ＞
（左の測定光学系９Ｌ）
測定光学系９Ｌは、上部筐体部２内に内蔵された投光光学系（照明光学系）１０Ｌと、下部筐体部３に内蔵された受光光学系１１Ｌを有する。
【００１８】
投光光学系１０Ｌは、測定光束投影用の光源であるＬＥＤ１２，１３、ダイクロミラー１４Ｌ、反射ミラー１５及びコリメータレンズ１６を備えている。ＬＥＤ１２は赤外光を発し、ＬＥＤ１３は赤色光（波長６３０ｎｍ）を発する。ダイクロミラー１４ＬはＬＥＤ１２からの赤外光を反射し、ＬＥＤ１３からの赤色光を透過する。コリメータレンズ１６はＬＥＤ１２，１３から発生した発散光束を測定光束としての平行光束に変換する役割を果たす。尚、反射ミラー１５は中央部から左側の半分が用いられる。
【００１９】
また、受光光学系１１Ｌは、開口８Ｌに取り付けられたハルトマンのパターン板１７、上面にスクリーン１８ａが設けられたフィールドレンズ１８、反射ミラー１９，２０，２１、光路合成プリズム２２、結像レンズ２３、ＣＣＤ（受光素子、受光手段）２４を有する。パターン板１７には多数の光透過部（図示せず）がマトリックス状に設けられている。
【００２０】
このパターン板１７の中央部上には、軸状（ピン状）のレンズ受（レンズ受軸、レンズ受ピン）１７ａが基準ピンとして一体に上方に向けて突設されている。このレンズ受１７ａは、上端部が半球状に形成されていると共に、軸線が測定光学系９Ｌの光軸ＯＬと一致するように配設されている。
（右の測定光学系９Ｒ）
測定光学系９Ｒは、上部筐体部２内に内蔵された投光光学系（照明光学系）１０Ｒと、下部筐体部３に内蔵された受光光学系１１Ｒを有する。
【００２１】
投光光学系１０Ｒは、測定光束投影用の光源であるＬＥＤ２５，２６、ダイクロミラー１４Ｒ、反射ミラー１５及びコリメータレンズ２７を備えている。ＬＥ２５は赤外光を発し、ＬＥＤ２６は赤色光（波長６３０ｎｍ）を発する。上述したダイクロミラー１４ＲはＬＥＤ２５からの赤外光を反射し、ＬＥＤ２６からの赤色光を透過する。コリメータレンズ２７はＬＥＤ２５，２６から発生した発散光束を測定光束としての平行光束に変換する役割を果たす。尚、反射ミラー１５は中央部から右側の半分が用いられる。
【００２２】
また、受光光学系１１Ｒは、開口８Ｌに取り付けられたハルトマンのパターン板２８、上面にスクリーン２９ａが設けられたフィールドレンズ２９、反射ミラー３０，３１、光路合成プリズム２２、結像レンズ２３、ＣＣＤ（受光素子、受光手段）２４を有する。パターン板２８には多数の光透過部（図示せず）がマトリックス状に設けられている。
【００２３】
このパターン板２８の中央部上には、軸状（ピン状）のレンズ受（レンズ受軸、レンズ受ピン）２８ａが基準ピンとして一体に上方に向けて突設されている。このレンズ受２８ａは、上端部が半球状に形成されていると共に、軸線が測定光学系９Ｒの光軸ＯＲと一致するように配設されている。
＜フレーム保持機構＞
また、装置本体１には、メガネ５の左右の眼鏡レンズＬＬ，ＲＬをレンズ受１７ａ，２８ａに支持させたときに、このメガネ５のメガネフレームＭＦを保持するフレーム保持機構が設けられている。また、上壁７の前縁部及び後縁部の左右方向中央部分３２，３３には、図９に示したように隔壁３ａに沿って前後方向に延びるスリット３４，３５がそれぞれ形成されている。
【００２４】
また、このフレーム保持機構３２は、左右に延び且つ前側上壁７の後縁部及び前縁部上にそれぞれ配設された一対の板状のフレーム保持板３６，３７をフレーム保持部材（レンズ保持部材、レンズ枠保持部材）として有する。このフレーム保持板３６，３７の対向面３６ａ，３７ａは、図２，図６，図８に示したように下方に向けて僅かに傾斜させられて、傾斜面となっている。
【００２５】
更に、このフレーム保持機構（レンズ枠保持機構）は、下部筐体部３内に配設された一対のリンク板（移動部材、スライド板）３８，３９を有する（図８，図１１，図１２参照）。このリンク板３８，３９は、仕切壁３ａの一側面の上部に沿って前後に向けて配設されている。
【００２６】
このリンク板３８は、図８，図１４に示したように一端部に上方に向けて突設された取付片３８ａと、図８，図１２，図１４に示したように左右に間隔をおいて形成されたスリット３８ｂ，３８ｃと、他端部に下方に向けて突設された係合片３８ｄと、係合片３８ｄに下方に向けて形成された係合切欠３８ｅを有する。そして、取付片３８ａは、スリット３５を介して上壁７の上方に突出すると共に、フレーム保持板３６に取り付けられている。
【００２７】
また、リンク板３９は、長手方向の中間部に上方に向けて突設された取付片３９ａと、一端部及び中間部に形成されたスリット３９ｂ，３９ｃと、他端部に上方に向けて突設された係合片３９ｄと、係合片３９ｄに上方に向けて形成された係合切欠３９ｅを有する。そして、取付片３９ａは、スリット１１７を介して上壁７の上方に突出すると共に、フレーム保持板３７に取り付けられている。
【００２８】
しかも、ガイドネジ４０は、リンク板３８，３９のスリット３８ｂ，３９ｂにそれぞれ挿通された後、先端部が隔壁３ａに螺着されている。また、ガイドネジ４１は、リンク板３８，３９のスリット３８ｃ，３９ｃにそれぞれ挿通された後、先端部が隔壁３ａに螺着されている。このガイドネジ４０，４１は、リンク板３８，３９を長手方向に相対的にスライド変位可能に結合（係合）させている。
【００２９】
更に、フレーム保持機構は、図７，図８，図１１に示したように下部筐体部３の上部及び仕切壁３ａに対応して連設筐体部４の前壁４ａに形成された開口４２と、開口４２の側縁に後方（下部筐体部３内）に向けて突設された支持片４３と、この支持片４３に取り付けられた支持ネジ４４を有する。
【００３０】
この支持ネジ４４は、開口４２側に位置する頭部４４ａと、頭部４４ａに連設された大径軸部４４ｂと、大径軸部４４ｂに連設されたネジ部４４ｃを有する。そして、支持ネジ４４は、ネジ部４４ｃを支持片４３に螺着することにより、支持片４３に取り付けられている。また、ネジ部４４ｃは、支持片４３を貫通して開口４２側とは反対側に突出している。そして、ネジ部４４ｃの突出部には、図１１に示したようにリング状のスペーサ４５が装着されていると共に、ナット４６が螺着されている。このナット４６は、スペーサ４５側に小径軸部４６ａを有すると共に、スペーサ４５を支持片４３に固定している。
【００３１】
また、フレーム保持機構は、大径軸部４４ｂに回転自在に保持された回転板（連結部材）４７と、回転板４７のリンク板３８，３９側の部分に１８０°の間隔をおいて取り付けられた係合ピン４８，４９と、支持片４３側に突設された係合ピン５０を有する。そして、係合ピン４８，４９にはリンク板３８，３９の係合切欠３８ｅ，３９ｅが係合している。しかも、リンク板３８，３９の取付片３８ａ，３９ａの基部間にはコイルスプリング５１が介装されていて、コイルスプリング５１はフレーム保持板３６，３７が互いに接近する方向にリンク板３８，３９をバネ付勢している。
【００３２】
更に、ナット４６の小径筒部４６ａにはギヤ５２がベアリング５３を介して回転自在に保持され、ギヤ５２の側面には係合ピン５０に周方向から係合する係合突部５３が一体に設けられている。このギヤ５２の近傍には、連設筐体部４の前壁４ａに取り付けたパルスモータ等の駆動モータ（駆動手段）５４が配設されている。この駆動モータ５４にはパルスモータを用いることができる。また、この駆動モータ５４に出力軸５４ａにはギヤ５２に噛合するピニオン５５が取り付けられている。しかも、仕切壁３ａには、フレーム保持板３６，３７間が最大に開いたときの、リンク板３８の移動停止位置を検出するリミットスイッチ５６が位置検出手段として取り付けられている。
＜鼻当支持機構＞
また、上壁７の上には、図９に示したように開口８Ｌ，８Ｒ間及びフレーム保持板３６，３７間に位置させて半円柱状の鼻当支持部材５７が配設されている。この鼻当支持部材（フレーム位置決部材）５７は、上下に向けて延びていると共に、平面形状が半円状に形成されている。この鼻当支持部材５７の下端には支持軸５８が突設されている。
【００３３】
更に、上壁７には、図９，図１０に示したように、開口８Ｌ，８Ｒ間に位置させて前後に延びるスリット５９が形成されている。このスリット５９には、鼻当支持部材５７の下端に突設された支持軸５８が挿通されている。更に、上壁７の上下にはスリット５９に沿って延びる支持板６０，６１が配設され、支持軸５８は支持板６０，６１を貫通している。しかも、支持板６０，６１間には支持軸５８に嵌合したスペーサ筒６２が介装され、支持軸５８の下端部には固定ナット６３が螺着されている。この固定ナット６３は、支持板６０，６１及びスペーサ筒６２を鼻当支持部材５７に一体に固定している。
【００３４】
このスペーサ筒６２は、長手方向に移動可能に且つ幅方向には移動しないようにスリット５９内に配設されている。しかも、スペーサ筒６２は、上壁７の板厚寸法よりも僅かに長く形成されていて、支持板６０，６１が上壁７の板面に沿って移動可能に設けられている。尚、支持軸５８と支持板６０，６１は相対回転しないようになっている。
【００３５】
また、支持板６１のバネ係止突部６１ａと仕切壁３ａのバネ係止突部３ｂとの間にはコイルスプリングＳが介装されていて、コイルスプリングＳは支持板６０，６１及び鼻当支持部材５７をフレーム保持板３６側に付勢している。しかも、仕切壁３ａには、支持板６１のフレーム保持板３７側端部６１ａに対応させて、マイクロスイッチ６４が移動検出手段として取り付けられている。このマイクロスイッチ６４は、鼻当支持部材５７がフレーム保持板３７側に移動させられて、支持板６０，６１がフレーム保持板３７側に移動させられたときに、アクチュエータ６４ａが支持板６１の端部６１ａにより押圧されてＯＮすることにより、鼻当支持部材５７の移動操作を検出するようになっている。
＜レンズ押さえ機構＞
また、連設筐体部４の前壁４ａには、図１，図２，図６，図７に示したようにレンズ押さえ機構６５がレンズ押さえ手段として設けられている。このレンズ押さえ機構６５は、フレーム保持板３７の上方に位置させて前壁４ａの左右の側部に回転自在にそれぞれ取り付けられた回転軸６６Ｌ，６６Ｒを有する。この回転軸６６Ｌ，６６Ｒは、前壁４ａから手前側に突出している共に、互いに平行に且つ前後方向に延びている。
【００３６】
更に、レンズ押さえ機構６５は、回転軸６６Ｌ，６６Ｒの側部にそれぞれ固定されたＬ字状のアーム６７Ｌ，６７Ｒと、アーム６７Ｌの先端部に取り付けられた一対のレンズ押さえ軸６８Ｌ、アーム６７Ｒの先端部に取り付けられた一対のレンズ押さえ軸６８Ｒを有する。
【００３７】
尚、レンズメータ１を正面から見たときに一対のレンズ押さえ軸６８Ｌ及び６８Ｒはそれぞれ一つしか見えないが、レンズメータ１を右側面から見たときに、レンズ押さえ軸６８Ｒは一対見える。このときに、一対のレンズ押さえ軸６８Ｌは一対のレンズ押さえ軸６８Ｒと重なる位置にある。従って、説明の便宜上、一対のレンズ押さえ軸６８Ｌの符号を一対のレンズ押さえ軸６８Ｒの符号の部分に記載して説明する。このレンズ押さえ軸６８Ｌ，６８Ｒは先端部がピン状に形成されている。
【００３８】
また、レンズ押さえ軸６８Ｌ，６８Ｒは、アーム６７Ｌ，６７Ｒが図１，図２の如く起立させられたとき、先端部が図１の如く互いに対向するようになっている。
【００３９】
このレンズ押さえ軸６８Ｌ，６８Ｌ（６８Ｒ，６８Ｒ）は、アーム６７Ｌ（６７Ｒ）が図６の如く水平に倒されたときに、基準ピンであるレンズ受１７ａ（２８ａ）の軸線、即ち光軸ＯＬ（ＯＲ）の両側に位置するようになっている。
【００４０】
また、レンズ押さえ機構６５は、図６，図７に示したように、連設筐体部４内において回転軸６６Ｌ，６６Ｒにそれぞれ固定されたセクタ状の回転板６９Ｌ，６９Ｒと、回転板６９Ｌ，６９Ｒの下縁部に連設された細幅の係合片７０Ｌ，７０Ｒと、回転板６９Ｌ，６９Ｒの下縁部に設けられたバネ係止部７１Ｌ，７１Ｒと、バネ係止部７１Ｌ，７１Ｒの下方に位置させて前壁４ａに突設されたバネ係止部７２Ｌ，７２Ｒと、バネ係止部７１Ｌ，７２Ｌ間に介装された引張りコイルスプリング７３Ｌと、バネ係止部７１Ｒ，７２Ｒ間に介装された引張りコイルスプリング７３Ｒを有する。
【００４１】
更に、レンズ押さえ機構６５は、連設筐体部４内において前壁４ａの上部に取り付けられたパルスモータ等の駆動モータ７４を有する。この駆動モータ７４は、出力軸７４ａが上下方向に向けられていると共に、出力軸７４ａが連設筐体部４の左右方向の中央部に配設されている。そして、出力軸７４ａにはピニオン７５が取り付けられている。また、前壁４ａには駆動モータ７４の下方に位置させてＬ字状のブラケット７６が取り付けられている。このブラケット７６には前壁４ａに沿って上下に延びる送りネジ７７の上端部が回転自在に且つ上下移動不能に保持されている。尚、図示は省略したが、ブラケット７６に筒状の軸受を上下に向けて固定し、この軸受に送りネジ７７の上端部を回転自在に且つ上下移動不能に保持する。また、軸受は上下に間隔をおいて複数設けても良い。更に、送りネジ７７の上下端部を軸受で前壁４ａに回転自在に保持しても良い。
【００４２】
この送りネジ７７の上端部にはピニオン７５に噛合するギヤ７８が取り付けられている。この送りネジ７７は連設筐体部４の左右方向の中央部に配設され、この送りネジ７７の下部のネジ部７７ａには昇降部材７９が螺着されている。この昇降部材７９の下端部には図７中左右に延びるフランジ７９ａが前壁４ａ向けて突設されている。このフランジ７９ａは、前壁４ａに当接させられていて、昇降部材７９の昇降により前壁４ａに対して上下に摺接移動する様になっている。そして、このフランジ７９ａ上には係合片７０Ｌ，７０Ｒの先端部が引張りコイルスプリング７３Ｌ，７３Ｒのバネ力によりそれぞれ当接させられている。
＜メガネサポート機構＞
この下部筐体３は上述したように上壁７を有する。この下部筐体３の両側部には図１６に示したようなメガネサポート機構１１０が設けられている。
【００４３】
このメガネサポート機構１１０は、上壁７の左右の両側部上に前後に向けて水平にそれぞれ配設されたフレームサポート１１１と、連設筐体部４の前壁４ａの両側部前面にそれぞれ取り付けられたＬ字状のブラケット１１２と、上壁７の両側部の連設筐体部４側の部分及びブラケット１１２をそれぞれ上下に貫通する支持軸１１３を有する。
【００４４】
そして、フレームサポート１１１は、正面形状が略Ｌ字状に形成されていると共に、前後に延びるスリット１１１ａが図２，図９に示したように角部に形成されている。また、支持軸１１３は角柱状に形成されていて、支持軸１３の上端部にフレームサポート１１１の端部が取り付けられている。これにより、支持軸１１３及びフレームサポート１１１は支持軸１１３の軸線回りに回転しないようになっている。
【００４５】
尚、支持軸１１３及びフレームサポート１１１を支持軸１１３の軸線回りに回転しないようにするための構成は、支持軸１１３を角柱状に形成することが必ずしも要件ではない。この支持軸１１３及びフレームサポート１１１を支持軸１１３の軸線回りに回転しなければよいので、このための構成としては他の周知の構造を使用できる。
【００４６】
この支持軸１１３の下端部にはストッパとしてのナット１１４が螺着されている。これにより、支持軸１１３及びフレームサポート１１１は所定範囲内で上下動できるように装置本体１に取り付けられている。
【００４７】
また、支持軸１１３の中間部にはバネ受け用のフランジ１１５が一体に形成されている。そして、ブラケット１１２とフランジ１１５との間には付勢手段としてのコイルスプリング１１６が介装されている。このコイルスプリング１１６は、支持軸１１３を上方にバネ付勢している。
【００４８】
このコイルスプリング１１６は、フレームサポート１１１上にメガネの眼鏡フレームを支持させたときに、メガネが自己の重量によりレンズ受１７ａ，２８ａの上端より下方に降下しないようにある程度バネ力が強く設定されている。
＜フレームサポート押し下げ機構＞
また、前壁４ａには左右の支持軸１１３に対応して上下に延びるレバー挿通開口１２０がそれぞれ形成されている。この前壁４ａには、フレームサポート押し下げ機構１２１が取り付けられている。
【００４９】
このフレームサポート押し下げ機構１２１は、図１７に示したように開口１２０より下方に位置させて前壁４ａの背面に固定された上ブラケット１２２，１２２と、ブラケット１２２，１２２を貫通してブラケット１２２，１２２に回動自在に且つ軸線方向に移動不能に保持された回動軸１２３と、回動軸１２３の両端部に固定された押し下げレバー１２４，１２４と、ブラケット１２２と回動軸１２３との間に介装されて押し下げレバー１２４，１２４を下方に回動付勢している撚りコイルスプリング１２５を有する。
【００５０】
この各押し下げレバー１２４は、レバー挿通開口１２０に挿通されて、先端部が下部筐体３内に突出させられていると共に、支持軸１１３のフランジ１１５上に撚りコイルスプリング１２５のバネ力により軽く当接させられている。
【００５１】
また、フレームサポート押し下げ機構１２１は、図１６に示したように前壁４ａの背面の上部に取り付けられた上ブラケット１２６，１２７と、前壁４ａの背面の下部に取り付けられた下ブラケット１２８と、ブラケット１２６〜１２８を貫通し且つブラケット１２６〜１２８に回転自在に保持された送りネジ１２９と、ブラケット１２６上に配設されて送りネジ１２９を回転駆動するパルスモータ（駆動モータ）１３０を有する。尚、下ブラケット１２８は開口１２０より下方に配設されている。
【００５２】
更に、フレームサポート押し下げ機構１２１は、前壁４ａの背面に昇降自在（上下動自在）に取り付けられたスライダ１３１と、送りネジ１２９に螺着された角柱状のナット１３２を有する。このナット１３２は、側面がスライダ１３１に当接していて、送りネジ１２９の回転時に軸線回りに回転しないようになっている。これによりナット１３２は送りネジ１２９の正転又は逆転時に上下動させられるようになっている。
【００５３】
尚、スライダ１３１は、図１６，図１８（Ａ）に示したように前板部１３１ａ及び前板部１３１ａの両側に連設された側板部１３１ｂ，１３１ｂから平面形状がコ字状に形成されている。この前板部１３１ａの両側部には図１８（Ｄ）に示したように開口１３１ｃ，１３１ｃが形成されている。
【００５４】
しかも、ナット１３２の一部は、図１６に示したように左右の押し下げレバー１２４，１２４の一方に臨ませられていて、降下したときに一方の押し下げレバー１２４を下方に回動させるようになっている。
＜遮光機構＞
また、スライダ１３１には、図１６に示したようにメガネの眼鏡レンズの屈折特性を測定する際に、メガネ配設空間１０５の側方を覆う遮光機構１４０が設けられている。
【００５５】
この遮光機構１４０は、上述した送りネジ１２９，パルスモータ１３０，スライダ１３１及びナット１３２を有する。
【００５６】
しかも、遮光機構１４０は、図１８（Ａ）に示したように前板部１４１ａ及び側板部１４１ｂ，１４１ｂからコ字状に形成された回動アーム１４１と、伸縮する遮光カバー１４２を有する。この遮光カバー１４２は、前カバー板部１４３ａ及び側カバー板部１４３ｂ，１４３ｂからコ字状に形成された上カバー板（外カバー板）１４３と、前カバー板部１４４ａ及び側カバー板部１４４ｂ，１４４ｂからコ字状に形成された下カバー板（内カバー板）１４４を備えている。
【００５７】
そして、回動アーム１４１の側板部１４１ｂ，１４１ｂは、スライダ１３１の前板部１３１ａに設けた開口１３１ｃ，１３１ｃに図１６，図１８（Ｄ）の如く挿通されていると共に、後端部がスライダ１３１の側板部１３１ｂ，１３１ｂに支持軸１４５，１４５を介して回動自在に取り付けられている。
【００５８】
この回動アーム１４１の一方の側板部１４１ｂにはナット１３２が下方から当接可能に設けられている。しかも、回動アーム１４１は、ナット１３２により上方に水平になるまで持ち上げられると、開口１３１ｃの上端に当接してそれ以上上方に回動しないようになっている。この状態で、更にナット１３２を上昇させると、スライダ１３１が回動アーム１４１と一体に上昇させられるようになっている。
【００５９】
また、上カバー板１４３の側カバー板部１４３ｂ，１４３ｂはスライダ１３１の側板部１３１ｂ，１３１ｂの外側面に固定ネジ１４６，１４６を介して固定され、下カバー板１４４の側カバー板部１４４ｂ，１４４ｂは回動アーム１４１の側板部１４１ｂ，１４１ｂに固定ネジ１４７，１４７を介して固定されている。しかも、下カバー板１４４は、上カバー板１４３の内側に略内接するように配設されている。
＜制御回路＞
上述したＣＣＤ２４の出力（測定信号）は図５の演算制御回路（演算制御手段）８０に入力され、リミットスイッチ５６及びマイクロスイッチ６４は演算制御回路８０に接続されている。また、演算制御回路８０は、ＬＥＤ１２，１３，２５，２６を点灯制御し、駆動モータ５４及び７４を作動制御する様になっている。また、この演算制御回路８０には、測定開始スイッチ１０１，モード切替スイッチ１０２，スイッチ１０３，プリントスイッチ１０４が接続されていると共に、液晶表示器１００が接続されている。
[作用]
次に、この様な構成のレンズメータの作用を説明する。
（電源投入前）
このレンズメータの電源を投入する前には、図８に示したように、ギヤ５２の係合突部５３が二点鎖線で示した位置に位置させられている。この位置では、コイルスプリング５１の張力を小さくさせるために、図８に示したように、フレーム保持板３６，３７がコイルスプリング５１の引張り力（バネ力）により二点鎖線で示した位置に位置させられていて、フレーム保持板３６，３７の間隔が最小となっている。この位置では、係合ピン４８，４９，５０が二点鎖線で示した位置に位置させられていて、係合突部５３が係合ピン５０から時計回り方向に僅かに離れている。
【００６０】
また、レンズメータの電源を投入する前には、コイルスプリング７３Ｌ，７３Ｒの引張り力（バネ力）を小さくするために、昇降部材７９が図７に実線で示したように送りネジ７７のネジ部７７ａの下端部に位置させられている。この位置では、回転板６９Ｌ，６９Ｒの係合片７０Ｌ，７０Ｒが実線で示したようにコイルスプリング７３Ｌ，７３Ｒの引張り力（バネ力）により下方に傾斜させられた状態となっていて、アーム６７Ｌ，６７Ｒが水平に倒された状態となっている。（電源投入による初期化）
この様な状態からレンズメータの電源を投入すると演算制御回路８０は、鼻当支持部材５７の移動を検出すると、駆動モータ５４を作動制御してピニオン５５を回転させ、このピニオン５５によりギヤ５２を図８中反時計回り方向に回転させる。この回転に伴いギヤ５２の側面に突設した係合突部５３は、回転板４７の係合ピン５０に当接した後、この係合ピン５０を図８中反時計回り方向に回転させて、回転板４７を反時計回り方向に回転させる。
【００６１】
この回転板４７に回転に伴い、係合ピン４８，４９が回転板４７と一体に二点鎖線で示した位置から反時計回り方向に回転させられ、リンク板３８，３９がコイルスプリング５１の引張り力（バネ力）に抗して互いに反対方向に変位させられる。即ち、図８中、リンク板３８は図示を省略した位置から右方に実線で示した位置まで変位させられ、リンク板３９は図示を省略した位置から左方に実線で示した位置まで変位させられる。このリンク板３８が図８の実線で示した位置まで変位させられると、このリンク板３８の端部によりリミットスイッチ５６がＯＮさせられ、このＯＮ信号が演算制御回路８０に入力される。この演算制御回路８０は、リミットスイッチ５６からのＯＮ信号が入力されると、駆動モータ５４の作動を停止させる。
【００６２】
このリンク板３８，３９の相対変位により、フレーム保持板３６，３７が図８中、二点鎖線で示した位置から実線で示した位置まで矢印８２，８３で示した方向（互いに反対方向）に変位させられて、フレーム保持板３６，３７の間隔が最大に広がり、測定作業の待機状態となる。
【００６３】
一方、レンズメータの電源を投入すると、演算制御回路８０は図６，図７の駆動モータ７４を作動させてピニオン７５を回転させ、このピニオン７５の回転をギヤ７８を介して送りネジ７７に伝達させ、昇降部材７９が図７に二点鎖線で示したように送りネジ７７のネジ部７７ａの上端部まで移動させる。これにより、測定を開始する前には、回転板６９Ｌ，６９Ｒの係合片７０Ｌ，７０Ｒが上方に二点鎖線で示したように傾斜させられた状態となっていて、アーム６７Ｌ，６７Ｒが図１，図２の如く起立させられ、レンズ押さえ軸６８Ｌ，６８Ｒの先端部が図１の如く互いに対向させられて、測定作業の待機状態となる。
（メガネの配設）
この様な状態においてレンズメータによりメガネ５の屈折特性等の光学特性を測定するには、メガネ５のメガネフレームＭＦをメガネ配設空間１０５内に配設して、メガネ５の鼻当ＮＰ，ＮＰを鼻当支持部材５７の上端部の前面に当接させる。
【００６４】
これと同時に、メガネフレームＭＦの左右のレンズ枠ＬＦ，ＲＦのテンプルＬＴ，ＲＴ取付部側の部分を図１９，図２２（Ａ）の如くフレームサポート１１１，１１１上に支持させる。この際、メガネフレームＭＦの左右のレンズ枠ＬＦ，ＲＦはそれぞれ２点で支持されるので、レンズ枠ＬＦ，ＲＦの形状やテンプルＬＴ，ＲＴ等の取付位置のために重心位置が中央にない状態でも、左右のレンズ枠ＬＦ，ＲＦは前後方向において上下に傾くことなく略水平に支持される。しかも、レンズ枠ＬＦ，ＲＦ及び眼鏡レンズＬＬ，ＲＬは、コイルスプリング１１６のバネ力でレンズ受１７ａ，２８ａの上端よりも上方に配設された状態となっている。
【００６５】
これにより、眼鏡レンズＬＬ，ＲＬが測定光学系９Ｌ，９Ｒの光路途中にそれぞれ配設される。即ち、眼鏡レンズＬＬが測定光学系９Ｌの投影光学系１０Ｌと受光光学系１１Ｌとの間に配設され、眼鏡レンズＲＬが測定光学系９Ｒの投影光学系１０Ｒと受光光学系１１Ｒとの間に配設される。
【００６６】
尚、メガネがリムレスフレーム即ち２ポイントフレームのメガネの場合、テンプル取付金具が眼鏡レンズの縁部に固定ネジで取り付けられているが、この固定ネジが突出しているため、この固定ネジを取り付けている部分をフレームサポート１１１，１１１で支持することはできない。このため、Ｌ字状のフレームサポート１１１，１１１の角部に沿ってスリット１１１ａ，１１１ａを設けて、このスリット１１１ａ，１１１ａの部分から外側に固定ネジを配置可能とすることで、小さいリムレスフレームのメガネの測定も行うことができる。
（メガネの保持動作）
また、測定開始スイッチ１０１を押すと、演算制御回路８０は、駆動モータ５４を所定数の駆動パルスで作動制御してピニオン５５を所定回転数だけ回転させ、このピニオン５５によりギヤ５２を図８中時計回り方向に回転させて、ギヤ５２の側面に突設した係合突部５３を時計回り方向に回転させる。この駆動モータ５４の回転は、係合突部５３が二点鎖線で示した位置に移動するまで回転させる。尚、この位置はマイクロスイッチやリミットスイッチ等で検出して、駆動モータ５４を停止させるようにすることもできる。
【００６７】
これに伴い、回転板４７の係合ピン５０は、コイルスプリング５１のバネ力により係合突部５３に追従して図８中時計回り方向に回転させられ、回転板４７が時計回り方向に係合ピン５０と一体に回転する。
【００６８】
この回転板４７に回転に伴い、係合ピン４８，４９が回転板４７と一体に実線で示した位置から時計回り方向に回転させられ、リンク板３８，３９がコイルスプリング５１の引張り力（バネ力）により互いに反対方向に変位させられる。
【００６９】
この際、リンク板３８が図８中左方に変位させられて、リンク板３８と一体のフレーム保持板３６が図８中矢印８４で示したように左方に変位させられると共に、リンク板３９が右方に変位させられて、リンク板３９と一体のフレーム保持板３７が図８中矢印８５で示したように右方に変位させられる。
【００７０】
これにより、フレーム保持板３６，３７は、矢印８４，８５で示したように互いに接近する方向に等しい量移動して、メガネフレームＭＦのレンズ枠ＬＦ，ＲＦ及び眼鏡レンズＬＬ，ＲＬをフレーム保持板３６，３７間の中央側に移動させる。
【００７１】
この際、鼻当支持部材５７もメガネフレームＭＦの鼻当ＮＰと一体にスリット５９に沿って前後方向に移動させられながら、メガネフレームＭＦがパターン板１７，２８間の中央に鼻当ＮＰが位置するように鼻当支持部材５７の円弧面により左右方向に移動させられて、メガネフレームＭＦの支持位置が正しい位置に修正される。
【００７２】
従って、図２３（ａ）の如く眼鏡レンズＬＬ，ＲＬがフレーム保持板３６，３７に対して偏って配設されても、フレーム保持板３６，３７は、レンズ枠ＬＦ，ＲＦ及び眼鏡レンズＬＬ，ＲＬを図２３（ｂ）の如くフレーム保持板３６，３７間の中央側に移動させる。この際、図１９，図２３（ａ），図２３（ｂ）の如く左右のレンズ枠ＬＦ，ＲＦ及び眼鏡レンズＬＬ，ＲＬはレンズ受１７ａ，２８ａの上端より上方に浮いた状態となっているので、レンズ枠ＬＦ，ＲＦがレンズ受１７ａ，２８ａに側方から当るようなことはない。この結果、偏って配設されたレンズ枠ＬＦ，ＲＦがフレーム保持板３６，３７によりフレーム保持板３６，３７間の中央側に移動させられる際に、レンズ受１７ａ，２８ａがレンズ枠ＬＦ，ＲＦにより損傷させられるようなことはない。
【００７３】
そして、このような移動により、メガネ５の眼鏡フレームＭＦを傾斜する対向面３６ａ，３７ａ間で保持（挟持）し、左右の眼鏡レンズＬＬ，ＲＬの略中央をレンズ受１７ａ，２８ａの上方に浮いた状態で配設する。
（メガネ配設空間１０５の側部の遮光動作）
これに続いて演算制御回路８０は、パルスモータ１３０を作動制御して送りネジ１２９を回転させ、ナット１３２を降下させる。これに伴い、スライダ１３１，回動アーム１４１，遮光カバー１４２等の自重によって回動アーム１４１がナット１３２に追従して降下することにより、スライダ１３１，回動アーム１４１，遮光カバー１４２等が一体に降下する。
【００７４】
この降下に伴い、図１６に二点鎖線で示した如く遮光カバー１４２の上カバー板１４３が上部筐体２から下方に所定量だけ突出すると、スライダ１３１の下端が下ブラケット１２８に当接して、スライダ１３１の降下が停止される。
【００７５】
この位置から更にナット１３２が降下させられて、回動アーム１４１が開口１３１ｃの下端に当接するまで支持軸１４５，１４５を中心に下方に回動させられ、図１６に二点鎖線で示した如く下カバー板１４４が上カバー板１４３から下方に突出する。尚、ナット１３２の降下は回動アーム１４１が開口１３１ｃの下端に当接するまで行われると、パルスモータ１３０の作動が停止させられる。
【００７６】
これにより、メガネ配設空間１０５の前側及び左右両側部が遮光カバー１４２（カバー板１４３，１４４）により覆われる。上述した様にメガネ５を前後方向の中央に移動させてから遮光カバー１４２によりメガネ配設空間１０５の前側及び左右両側部をカバーするようにしている。
【００７７】
尚、メガネ配設空間１０５の下端部側は僅かにカバーされていない部分があるが、メガネ配設空間１０５の上部側から斜めに入る外光が遮光カバー１４２により遮光されるので、測定に支障は来さない。また、メガネ配設空間１０５の下端部側は僅かにカバーされていない部分があるが、この部分も含めてメガネ配設空間１０５の全てを遮光可能に覆うように設定しても良い。
（眼鏡フレームのセット状態の修正）
このような遮光動作に続いて演算制御回路８０は、駆動モータ７４を所定数の駆動パルスで作動制御してピニオン７５を回転させ、この回転をギヤ７８を介して送りネジ７７に伝達させ、この送りネジ７７により昇降部材７９を二点鎖線で示した位置から下方に移動させる。この際、駆動モータ７４の作動は、昇降部材７９が送りネジ７７の下端部に達するまで行われる。そして、昇降部材７９が送りネジ７７の下端部に達すると駆動モータ７４の作動が停止させられる。尚、この様な動作は、パルスモータである駆動モータ７４を所定回転数だけ回転させることにより行うことができる。しかし、この昇降部材７９の上下の移動位置はマイクロスイッチ等で位置検出手段で検出して、この位置検出手段からの検出信号により駆動モータ７４の作動停止を行うようにしても良い。
【００７８】
そして、昇降部材７９の下方への移動に伴い、回転板６９Ｌ，６９Ｒの係合片７０Ｌ，７０Ｒの先端部が昇降部材７９のフランジ７９ａに追従して下方に移動し、回転板６９Ｌがコイルスプリング７３Ｌのバネ力で図７中反時計回り方向に回転させられると共に、回転板６９Ｒがコイルスプリング７３Ｒのバネ力で図７中時計回り方向に回転させられる。
【００７９】
この様な回転板６９Ｌ，６９Ｒの回転は回転軸６６Ｌ，６６Ｒを介してアーム６７Ｌ，６７Ｒに伝達される。これにより、アーム６７Ｌ及びレンズ押さえ軸６８Ｌが図１９（ａ）の如く矢印８６で示したように時計回り方向に回動変位させられると共に、アーム６７Ｒ及びレンズ押さえ軸６８Ｒが図１９（ａ）の如く矢印８７で示したように反時計回り方向に回動変位させられる。この様にレンズ押さえ軸６８Ｌ，６８Ｌおよび６８Ｒ，６８Ｒは、回転しながら降下して、図２３（ｃ）の如く左右の眼鏡レンズＬＬ及びＲＬに当接した後、更に降下して図２０，図２２（Ｂ），図２３（ｄ）の如くメガネ５の左右の眼鏡レンズＬＬ及びＲＬを先端部でレンズ受１７ａ及び２８ａに対してそれぞれ押し付ける。
【００８０】
この際、レンズ押さえ軸６８Ｌ，６８Ｌおよび６８Ｒ，６８Ｒによる眼鏡レンズＬＬ，ＲＬの押さえ付けは、コイルスプリング７３Ｌ，７３Ｒのバネ力のみで行われることになる。
【００８１】
一方、この際、フレームサポート１１１がレンズ押さえ軸６８Ｌ，６８Ｌおよび６８Ｒ，６８Ｒによる眼鏡レンズＬＬ，ＲＬの押さえ付け力により、コイルスプリング１１６のバネ力に抗して眼鏡レンズＬＬ，ＲＬと一体に降下させられる。
【００８２】
この状態で演算制御回路８０は、駆動モータ５４を所定数の駆動パルスで作動制御してピニオン５５を所定回転数だけ上述とは逆方向に回転させ、このピニオン５５によりギヤ５２を図８中反時計回り方向に回転させて、ギヤ５２の側面に突設した係合突部５３を反時計回り方向に回転させることにより、図２３（ｅ）に示したようにフレーム保持板３６，３７をレンズ枠ＬＦ，ＲＦから離反する方向に移動させる。
【００８３】
これにより、眼鏡レンズＬＬ，ＲＬがレンズメータの前後方向において傾斜した状態でフレーム保持板３６，３７間で保持（挟持）されていても、２つのレンズ押さえ軸（レンズ押さえ部材）６８Ｌ，６８Ｌおよび６８Ｒ，６８Ｒがレンズ受１７ａの軸線（光軸ＯＬと一致）及びレンズ受２８ａ（光軸ＯＲと一致）の両側をコイルスプリング７３Ｌ，７３Ｒのバネ力によりそれぞれ押さえ付けているので、フレーム保持板３６，３７がレンズ枠ＬＦ，ＲＦから離反させられる際に、眼鏡レンズＬＬ，ＲＬの傾斜がコイルスプリング７３Ｌ，７３Ｒのバネ力と２つのレンズ押さえ軸（レンズ押さえ部材）６８Ｌ，６８Ｌおよび６８Ｒ，６８Ｒにより修正される。
【００８４】
次に、演算制御回路８０は、駆動モータ５４を所定数の駆動パルスで作動制御してピニオン５５を所定回転数だけ回転させ、このピニオン５５によりギヤ５２を図８中時計回り方向に回転させて、ギヤ５２の側面に突設した係合突部５３を時計回り方向に回転させることにより、フレーム保持板３６，３７をレンズ枠ＬＦ，ＲＦ側に移動させる。これにより、図２３（ｆ）に示した如くフレーム保持板３６，３７がレンズ枠ＬＦ，ＲＦを再度挟持するので、レンズ枠ＬＦ，ＲＦを備える眼鏡フレームＭＦがフレーム保持板３６，３７の傾斜する対向面３６ａ，３７ａ間で正しく保持されることになる。
（フレームサポートの降下動作）
この後、演算制御回路８０は、パルスモータ１３０を作動制御して送りネジ１２９を回転させ、ナット１３２を更に所定量だけ降下させて停止させると共に、このナット１３２により左右の押し下げレバー１２４の一方を下方に押圧して下方に所定量だけ回動させる。この際、回動軸１２３が一方の押し下げレバー１２４と一体に同方向に回動させられて、他方の押し下げレバー１２４も下方に回動させる。
【００８５】
これにより、図２２（ｃ）に示した如く左右の各支持軸１１３及びフレームサポート１２４が押し下げレバー１２４によりコイルスプリング１１６のバネ力に抗して所定量だけ一体に押し下げられて、フレームサポート１１１がメガネフレームＭＦのレンズ枠ＬＦ，ＲＦから離反する。
【００８６】
この結果、コイルスプリング１１６のバネ力が支持軸１１３及びフレームサポート１２４を介してレンズ枠ＬＦ，ＲＦに作用しない状態となる。この状態では、レンズ押さえ軸６８Ｌ，６８Ｒを眼鏡レンズＬＦ，ＲＦから離反させても、コイルスプリング１１６のバネ力によりレンズ受１７ａ，２８ａが眼鏡レンズＬＦ，ＲＦから浮き上がることがない。
【００８７】
この後、演算制御回路８０は、駆動モータ７４を上述とは逆に所定数の駆動パルスで作動制御して、昇降部材７９を上昇させ、この昇降部材７９により係合片７０Ｌ，７０Ｒの先端部を上昇させることにより、回転板６９Ｌ，６９Ｒをコイルスプリング７３Ｌ，７３Ｒのバネ力に抗して上述とは逆に回転させ、アーム６７Ｌ，６７Ｒを図２１に矢印８６′，８７′で示したように上方を向く位置まで垂直に回転させる。
【００８８】
この位置では、アーム６７Ｌ，６７Ｒに取り付けたレンズ押さえ軸６８Ｌ，６８Ｒが図２１，図２２（ｇ）の如くハルトマンプレート１７，２８の上方から左右に退避しているので、レンズ押さえ軸６８Ｌ，６８Ｒが測定光束を遮らない状態となる。
（屈折特性の測定）
＜眼鏡レンズＬＬの屈折特性測定＞
この状態で演算制御回路８０は、測定光学系９ＬのＬＥＤ１２，１３を順番に点灯させて、眼鏡レンズＬＬの測定を行う。この際、ＬＥＤ１２からの測定光束は、ダイクロミラー１４Ｌ及び全反射ミラー１５で反射した後、コリメータレンズ１６により平行光束とされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパター板１７のパターン像を結像させる。
【００８９】
また、ＬＥＤ１３からの測定光束は、ダイクロミラー１４Ｌを透過して全反射ミラー１５で反射した後、コリメータレンズ１６で平行光束にされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパターン板１７のパターン像を結像させる。
【００９０】
そして、演算制御回路８０は、ＣＣＤ２４に結像されたパターン像の状態から眼鏡レンズＬＬの各部の屈折特性を測定して、眼鏡レンズＬＬの各部の屈折特性のマッピングデータを求める。この屈折特性としては、球面度数（Ｓ），円柱度数（Ｃ），円柱軸角度（Ａ）等がある。
＜眼鏡レンズＲＬの屈折特性測定＞
この状態で演算制御回路８０は、測定光学系９ＲのＬＥＤ２５，２６を順番に点灯させて、眼鏡レンズＲＬの測定を行う。この際、ＬＥＤ２５からの測定光束は、ダイクロミラー１４Ｒ及び全反射ミラー１５で反射した後、コリメータレンズ２７により平行光束とされて眼鏡レンズＲＬに投光される。これに伴い、眼鏡レンズＲＬを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパター板２８のパターン像を結像させる。
【００９１】
また、ＬＥＤ２６からの測定光束は、ダイクロミラー１４Ｒ及び全反射ミラー１５で反射した後、コリメータレンズ２７により平行光束とされて眼鏡レンズＲＬに投光される。これに伴い、眼鏡レンズＲＬを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパターン板２８のパターン像を結像させる。
【００９２】
そして、演算制御回路８０は、ＣＣＤ２４に結像されたパターン像の状態から眼鏡レンズＲＬの各部の屈折特性を測定して、眼鏡レンズＲＬの各部の屈折特性のマッピングデータを求める。この屈折特性としては、球面度数（Ｓ），円柱度数（Ｃ），円柱軸角度（Ａ）等がある。
＜測定結果の表示＞
また、演算制御回路８０は、この様にして求めた眼鏡レンズＬＬ，ＲＬの屈折特性（光学特性）を図２４に示した如く液晶表示器１００に同時に表示させる。
【００９３】
この図２４においては、液晶表示器１００の左上端に左の眼鏡レンズＬＬであることを示す「左」が表示され、液晶表示器１００の右上端に右の眼鏡レンズＲＬであることを示す「右」が表示される。
【００９４】
しかも、液晶表示器１００の中央にＳ（球面度数），Ｃ（円柱度数），Ａ（円柱軸の軸角度），ＡＤＤ（加入度数）等の文字が表示され、Ｓ，Ｃ，Ａ，ＡＤＤの左右に左右の眼鏡レンズＬＬ，ＲＬの数値データ（測定データ）がそれぞれ表示される。
【００９５】
図２４では、左の眼鏡レンズＬＬのＳが「＋１．７５」、Ｃが「−１．５０」、Ａが６０」、ＡＤＤが「３．００」と表示されている。同様に、右の眼鏡レンズＲＬのＳが「＋１．７５」、Ｃが「＋０．００」、Ａが「１８０」、ＡＤＤが「３．００」と表示されている。
【００９６】
また、これらの数値データの下方には、左右の眼鏡レンズＬＬ，ＲＬ間の光学中心間距離ＬＰＤと、眼鏡レンズＬＬ，ＲＬ間の中央から眼鏡レンズＬＬ，ＲＬの光学中心までの左ハーフＬＬＨＰＤ及び右ハーフＲＬＨＰＤの測定データが表示されている。この左ハーフＬＬＨＰＤ及び右ハーフＲＬＨＰＤは中央のＬＰＤの左右に表示されている。
【００９７】
しかも、光学中心間距離ＬＰＤの測定データ（数値データ）はメガネフレームＭＦのフレーム形状１５０の右側に表示され、左ハーフＬＬＨＰＤはメガネフレームＭＦの左半分のフレーム形状１５１の右側に表示され、右ハーフＲＬＨＰＤはメガネフレームＭＦの右半分のフレーム形状１５２の右側に表示されている。尚、図２４では、光学中心間距離ＬＰＤが「６３」、左ハーフＬＬＨＰＤが「３１．５」、右ハーフＲＬＨＰＤが「３１．５」として表示されている。
【００９８】
また、液晶表示器１００の下縁部（下端部）には、測定開始スイッチ１０１，モード切替スイッチ１０２，スイッチ１０３，プリントスイッチ１０４に対応する「測定」、「モード」、「＋／−」、「印刷」等の表示がされている。
【００９９】
そして、演算制御回路８０は、モード切替スイッチ１０２を操作する（押す）と、図２５に示したように測定結果の表示を切り換える。この図２５では、図２４の表示に加えて、Ｓ，Ｃ，Ａ，ＡＤＤの測定データの左右に左右の眼鏡レンズＬＬ，ＲＬの屈折度数のマッピング画像１５３，１５４の表示をさせている。図２５のマッピング画像１５３，１５４は、眼鏡レンズＬＬ，ＲＬが累進レンズである場合の測定データに基づく表示例を示したもである。
【０１００】
そして、眼鏡レンズＬＬ，ＲＬが累進レンズである場合には、左右の眼鏡レンズＬＬ，ＲＬのＡＤＤの測定データの下方に近点「Ｎ」から遠点「Ｆ］までの累進部１５３ａ，１５４ａの加入度数の変化を示す加入度数変化グラフ１５３ｂ，１５４ｂが液晶表示器１００に表示される。
【０１０１】
また、加入度数変化グラフ１５３ｂ，１５４ｂの側部には近点「Ｎ」及び遠点「Ｆ］の加入度数がそれぞれ表示される。図２４では、加入度数変化グラフ１５３ｂの近点「Ｎ」が「２．１」，遠点「Ｆ］が「１７．０」として表示され、加入度数変化グラフ１５４ｂの近点「Ｎ」が「３．１」，遠点「Ｆ］が「１７．０」として表示されている。
【０１０２】
尚、上述した実施例のメガネ５は眼鏡レンズＬＬ，ＲＬがレンズ枠ＬＦ，ＲＦに枠入しメガネフレームＭＦを有する。そして、上述した実施例では、メガネフレームＭＦが設けられたメガネ５の光学特性を測定するようにしているが、必ずしもこれに限定されるものではない。
【０１０３】
例えば、フレームレスのメガネの測定を行うこともできる。即ち、レンズ枠ＬＦ，ＲＦを設けずに、ブリッジやテンプル取付金具を眼鏡レンズＬＬ，ＲＬに直接ネジで固定するようにした２ポイントフレームのメガネの測定を行うこともできる。この場合には、眼鏡レンズＬＬ，ＲＬがフレームサポート１１１に直接支持されることになる。
【０１０４】
以上説明したように、この発明の実施の形態のレンズメータは、装置本体１の前面の上部に測定光束投影光学系（投光光学系１０Ｌ，１０Ｒ）が内蔵された第１の光学系収納突部（上部筐体部２）が設けられ、前記装置本体１の前面の下部に前記測定光束投影光学系（投光光学系１０Ｌ，１０Ｒ）から投影される測定光束を受光するための受光光学系１１Ｌ，１１Ｒが内蔵された第２の光学系収納突部（下部筐体部３）が設けられ、前記第１，第２の光学系収納突部（上部筐体部２，下部筐体部３）間に前後左右に開放する眼鏡レンズ配設空間１０５が設けられていると共に、前記測定光束投影光学系（投光光学系１０Ｌ，１０Ｒ）から投影され且つ前記眼鏡レンズＬＬ，ＲＬを透過して前記受光光学系１１Ｌ，１１Ｒで導かれる測定光束を受光する受光素子（ＣＣＤ２４）が設けられ、前記受光素子（ＣＣＤ２４）からの測定信号から前記眼鏡レンズＬＬ，ＲＬの屈折特性を演算制御回路８０で求めるようにしている。
【０１０５】
しかも、前記光学系収納突部（上部筐体部２，下部筐体部３）の少なくとも一方に眼鏡レンズ配設空間１０５の周囲の部分に対して進退動可能に遮光カバー１４２が保持されていると共に、前記遮光カバー１４２が眼鏡レンズ配設空間１０５の周囲の部分に駆動手段（パルスモータ１３０）で進出させられたときに、前記遮光カバー１４２が付勢手段（自重）により前記光学系収納突部（上部筐体部２，下部筐体部３）の少なくとも一方から他方の前記光学系収納突部側に向けて付勢されている。
【０１０６】
この構成によれば、測定光束を多数の拘束に分割して眼鏡レンズの多数の点の屈折力を測定するパターン板を測定光学系に設けた場合でも、正面及び側方から入射する外光が眼鏡レンズの屈折測定に影響を及ぼすことを防止できる。
【０１０７】
しかも、遮光カバー１４２と他方の前記光学系収納突部（上部筐体部２，下部筐体部３）との間に手や指を挟んだとしても、遮光カバー１４２の付勢力を小さくしておけば、手や指等が怪我をするのを未然に防止できる。
【０１０８】
また、この発明の実施の形態のレンズメータの前記遮光カバー１４２は前記第１の光学系収納突部（上部筐体部２）内から前記第２の光学系収納突部（下部筐体部３）側に自重で付勢されて進出可能に前記第１の光学系収納突部内（上部筐体部２）に取り付けられ、前記遮光カバー１４２は駆動モータ（パルスモータ１３０）で昇降させられる昇降部材（ナット１３２）上に当接支持されて前記昇降部材（ナット１３２）と一体に上下動可能に設けられている。
【０１０９】
この構成によれば、遮光カバー１４２と他方の前記光学系収納突部（上部筐体部２，下部筐体部３）との間に手や指を挟んだとしても、遮光カバー１４２が自重で下方に付勢されているだけであるので、手や指等が怪我をするのを未然に防止できる。
【０１１０】
尚、以上説明した実施例では、前記遮光カバー１４２は前記第１の光学系収納突部（上部筐体部２）内から前記第２の光学系収納突部（下部筐体部３）側に自重で付勢されて進出可能に前記第１の光学系収納突部内（上部筐体部２）に取り付けられている構成としたが、必ずしもこれに限定されるものではない。例えば、遮光カバーは下部筐体部３側に設けることができる。この場合は、スプリングやスポンジゴム等の弾性部材を介して昇降駆動部材に遮光カバーを支持させ、昇降部材を駆動モータ等で昇降させるようにしておけば、上述と同様に遮光カバーと上部筐体部２との間に指や手を挟んだとしても、弾性部材で遮光カバーの移動が吸収されて停止するので、手や指等が怪我をするのを未然に防止できる。
【図面の簡単な説明】
【０１１１】
【図１】今発明に係るレンズメータの正面図である。
【図２】図１のレンズメータの右側面図である。
【図３】図１のレンズメータの平面図である。
【図４】図１のＡ１−Ａ１線に沿う断面図である。
【図５】図１〜図４に示したレンズメータの光学系及び制御回路の説明図である。
【図６】図２〜図４に示した連設筐体の後部側を外して、一部を断面して示したレンズメータの側面図である。
【図７】図６のレンズメータの連設筐体の前壁を背面側から見た説明図である。
【図８】図９のＡ２−Ａ２に沿うフレーム保持機構の説明の為の断面図である。
【図９】図１のレンズメータを矢印Ａ３方向から見た平面図である。
【図１０】図９のＡ４−Ａ４線に沿う断面図である。
【図１１】図８のＡ５−Ａ５線に沿う断面図である。
【図１２】図８のＡ６−Ａ６線に沿う断面図である。
【図１３】図８，図１１，図１２の１対のリンク板の一方の説明図である。
【図１４】図８，図１１，図１２の１対のリンク板の他方の説明図である。
【図１５】レバー押し下げ及び遮光カバーのための送りネジ等の説明用の部分斜視図である。
【図１６】図１５のＣ−Ｃ線に沿う断面図である。
【図１７】図１６のＢ１−Ｂ１線に沿う断面図である。
【図１８】（Ａ）は遮光カバーとスライダとの関係を示す概略平面図、（Ｂ）は（Ａ）のＢ２−Ｂ２線に沿う断面図、（Ｃ）は（Ａ）のＢ３−Ｂ３線に沿う断面図、（Ｄ）は（Ａ）のＢ４−Ｂ４線に沿う断面図である。
【図１９】（ａ）はメガネをメガネ配設空間に配設してフレームサポートに支持させたレンズメータの正面図、（ｂ）は（ａ）の右側面図である。
【図２０】（ａ）は図１９の眼鏡レンズをレンズ押さえ部材で押さえた状態のレンズメータの正面図、（ｂ）は（ａ）の右側面図である。
【図２１】（ａ）は図２０のレンズ押さえ部材を測定光路から退避させた状態のレンズメータの正面図、（ｂ）は（ａ）の右側面図である。
【図２２】（Ａ）〜（Ｃ）はフレームサポートの作用説明図である。
【図２３】（ａ）〜（ｇ）はフレーム保持部材及びレンズ押さえ部材の作用説明図である。
【図２４】レンズメータの液晶表示器の表示例を示した説明図である。
【図２５】図２４の液晶表示器の表示モードを切り替えたときの説明図である。
【符号の説明】
【０１１２】
１…装置本体
２…上部筐体部（第１の光学系収納突部）
３…下部筐体部（第２の光学系収納突部）
１０Ｌ，１０Ｒ…投光光学系（測定光束投影光学系）
１１Ｌ，１１Ｒ…受光光学系
２４…ＣＣＤ（受光素子）
８０…演算制御回路
１０５…眼鏡レンズ配設空間
１３０…パルスモータ（駆動手段）
１３２…ナット（昇降部材）
１４２…遮光カバー
【図１】
2005214700.tif 000003
【図２】
2005214700.tif 000004
【図３】
2005214700.tif 000005
【図４】
2005214700.tif 000006
【図５】
2005214700.tif 000007
【図６】
2005214700.tif 000008
【図７】
2005214700.tif 000009
【図８】
2005214700.tif 000010
【図９】
2005214700.tif 000011
【図１０】
2005214700.tif 000012
【図１１】
2005214700.tif 000013
【図１２】
2005214700.tif 000014
【図１３】
2005214700.tif 000015
【図１４】
2005214700.tif 000016
【図１５】
2005214700.tif 000017
【図１６】
2005214700.tif 000018
【図１７】
2005214700.tif 000019
【図１８】
2005214700.tif 000020
【図１９】
2005214700.tif 000021
【図２０】
2005214700.tif 000022
【図２１】
2005214700.tif 000023
【図２２】
2005214700.tif 000024
【図２３】
2005214700.tif 000025
【図２４】
2005214700.tif 000026
【図２５】
2005214700.tif 000027